(57)【要約】  制御箱から配線を外さずにメンテナンス作業が可能な空気調和装置の室内機を提供する。本発明に係る空気調和装置の室内機は、室内の天井面に埋め込まれて設置される空気調和装置の室内機において、筐体と、筐体の内部に設置される熱交換器と、熱交換器の下部に設置されるドレンパンと、外部から筐体の内部に引き込まれている配線と、筐体の内部で配線が接続され、ドレンパンの下方に設置される制御箱と、を備える。筐体は、側面を構成する側板の下端部に切り欠き部と、切り欠き部に着脱自在に嵌め込まれ配線貫通部材と、を備える。配線貫通部材は、配線が貫通する穴を備える。制御箱は、配線貫通部材に隣接して配置されている。
2017208348.tif 000002
【特許請求の範囲】
【請求項１】
室内の天井面に埋め込まれて設置される空気調和装置の室内機において、
筐体と、
該筐体の内部に設置される熱交換器と、
該熱交換器の下部に設置されるドレンパンと、
外部から前記筐体の内部に引き込まれている配線と、
前記筐体の内部で前記配線が接続され、前記ドレンパンの下方に設置される制御箱と、を備え、
前記筐体は、
側面を構成する側板の下端部に切り欠き部と、
該切り欠き部に着脱自在に嵌め込まれた配線貫通部材と、を備え、
前記配線貫通部材は、
前記配線が貫通する穴を備え、
前記制御箱は、
前記配線貫通部材に隣接して配置されている、空気調和装置の室内機。
【請求項２】
前記配線貫通部材は、
前記制御箱と一体に形成されている、請求項１に記載の空気調和装置の室内機。
【請求項３】
前記制御箱は、
部品実装面に電気回路を構成する部品を備える制御基板を有し、
前記制御基板は、
前記制御箱の内部に前記部品実装面を下に向けて設置されている、請求項１又は２に記載の空気調和装置の室内機。
【請求項４】
前記ドレンパンは、
下方向に突出している集水部を有し、
前記集水部は、
前記切り欠き部を有する前記側板に沿って配置され、
前記制御箱は、
前記集水部を避ける逃げ形状を有し、
前記制御基板は、
前記集水部の側方であって、前記筐体の上下方向において前記集水部と同じ高さに並んで配置されている、請求項３に記載の空気調和装置の室内機。
【請求項５】
前記ドレンパンは、
下方向に突出している集水部を有し、
前記集水部は、
前記切り欠き部を有する前記側板に沿って配置され、
前記制御箱は、
前記配線が当該制御箱の下面を構成する下面板に沿って配置されている配線導入部と、
前記制御基板を内部に納める制御基板収納部と、を備え、
前記配線導入部は、
前記制御箱の下面からの高さが前記制御基板収納部よりも低く、前記集水部の下方に配置され、
前記制御基板収納部は、
前記集水部の側方に配置されている、請求項３に記載の空気調和装置の室内機。
【請求項６】
機内配線を更に備え、
前記機内配線は、
前記集水部と前記側板との間の隙間を通り、前記筐体の内部において前記ドレンパンの上方に配置されている電気部品と前記制御箱とを接続する、請求項４又は５に記載の空気調和装置の室内機。
【請求項７】
前記制御箱は、
重心が上面側にある、請求項３〜５の何れか１項に記載の空気調和装置の室内機。
【発明の詳細な説明】
【技術分野】
【０００１】
本発明は、天井に埋め込まれて設置される空気調和装置の室内機に関し、特に室内機の制御装置を収納する制御箱の配置及び制御箱と外部を繋ぐ配線の配置に関する。
【背景技術】
【０００２】
従来室内の天井に埋め込まれて設置される空気調和装置の室内機は、筐体の内部に、熱交換器、送風機、ドレンパン及び制御箱等を収納し、構成されている。また、筐体の室内側の表面は、化粧板により覆われ内部構造を隠し、外観の意匠を構成している。室内機は、現地配線により外部と接続されている。現地配線は、外部から室内機を運転するための電力を供給する配線及び運転を制御するための信号等を送る通信線等により構成されるものである。この筐体内部の修理又は点検をする際には、化粧板を外し、天井に埋め込まれている筐体の下部から作業をする必要があり、作業が困難であった。【０００３】
例えば、特許文献１に開示されている空気調和装置の室内機によれば、筐体は、側面に切り欠き部を備え、切り欠き部には着脱自在な塞ぎ板が取り付けられている。塞ぎ板には、配線が通される丸穴が開口されている。室内機の筐体内部の修理、点検は、塞ぎ板を外し、作業空間を大きくしてから行うように構成されている。
【先行技術文献】
【特許文献】
【０００４】
【特許文献１】特開平６−１１１４９号公報
【発明の概要】
【発明が解決しようとする課題】
【０００５】
特許文献１に開示されているところでは、筐体側面の切り欠き口に設けられている塞ぎ板を取り外して筐体内部の修理、点検及び交換のための作業空間を確保している。しかし、作業空間を確保しても、天井に埋め込まれて設置されている空気調和装置の室内機の内部の構成部品の修理、点検及び交換作業は、筐体の下方向からの作業であり、また高所での作業となることから、作業に制約が伴う。天井面での作業が困難な場合、構成部品を取り外して作業が容易な場所で修理等の作業をする必要がある。特に、空気調和装置の室内機が小型である場合には、室内機の筐体内の構成部品が上下方向に配置されており、下側にある構成部品を取り外してから上側にある部品を取り外さなければならない。また、修理等のメンテナンス作業の頻度が多くなりやすい制御基板等が納められている制御箱は、筐体内部の下側に設置されている。よって、室内機内部の構成部品の修理等を行う場合は、制御箱を取り外してから作業をする必要がある。【０００６】
制御箱は、外部から電源等を供給するための現地配線が接続されており、筐体から取り外すには現地配線の接続を制御箱から外す必要がある。しかし、現地配線を制御箱から外す作業をするには、作業者は第一種電気工事士の資格が必要であり、作業者が限定されてしまうという課題がある。【０００７】
また、制御箱から現地配線を外さずに筐体から制御箱を外すには、現地配線の長さに余裕を持たせる必要がある。現地配線の長さに余裕（以下「余長」と称する）を持たせる場合には、室内の天井面から上にある室内機の外の空間にその余長の部分を納めるか、室内機の筐体の内部にその余長の部分を納める必要がある。室内機の筐体外部に現地配線の余長を納めるには、室内機が設置される環境により余長を取れないという課題がある。また、室内機の筐体内部に現地配線の余長を納めるには、筐体内部に現地配線を長く引き込む構造とする必要があり、制御箱の配置その他の筐体内の構造に制約が発生するという課題がある。【０００８】
本発明は、上記のような課題を解決するためになされたもので、制御箱内の端子台または基板に接続された現地配線への作業をすることなく、制御箱を筐体から取り外すことができる構造を備える空気調和装置の室内機を提供するものである。また、本発明は、現地配線を筐体内部に長く引き込む構造とする必要がなく、筐体内部の熱交換器、送風機、ドレンパン、制御箱を効率良く配置し、小型化が可能な空気調和装置の室内機を提供するものである。
【課題を解決するための手段】
【０００９】
本発明の空気調和装置の室内機によれば、室内の天井面に埋め込まれて設置される空気調和装置の室内機において、筐体と、該筐体の内部に設置される熱交換器と、該熱交換器の下部に設置されるドレンパンと、外部から前記筐体の内部に引き込まれている配線と、前記筐体の内部で前記配線が接続され、前記ドレンパンの下方に設置される制御箱と、を備え、前記筐体は、側面を構成する側板の下端部に切り欠き部と、該切り欠き部に着脱自在に嵌め込まれた配線貫通部材と、を備え、前記配線貫通部材は、前記配線が貫通する穴を備え、前記制御箱は、前記配線貫通部材に隣接して配置されている。
【発明の効果】
【００１０】
本発明によれば、空気調和装置の室内機の修理等の作業時において、現地配線が接続されたまま制御箱を取り外すことができ、室内機が設置される環境に影響されることなく制御箱を筐体から取り外すことができる。また、制御箱が配線貫通部材に隣接して配置されており、現地配線が筐体内部に長く引き込まれていない構造であるため、現地配線の余長を納める空間を必要とせず、熱交換器、送風機、及びドレンパン等の配置構造の制約を緩和させることができる。ひいては、空気調和装置の室内機の小型化も可能となる。
【図面の簡単な説明】
【００１１】
【図１】本発明の実施の形態１に係る室内機の斜視図である。
【図２】図１の室内機の内部構成を説明する斜視図である。
【図３】図１の室内機の断面を示す説明図である。
【図４】図１の室内機の内部に設置されたドレンパンの上側から見た斜視図である。
【図５】図４のドレンパンの下側から見た斜視図である。
【図６】実施の形態１に係る室内機の筐体の側板の説明図である。
【図７】図１の室内機から制御箱を取り外した状態の説明図である。
【図８Ａ】図１の室内機においてドレンパンの下から制御箱を移動させた状態の説明図である。
【図８Ｂ】図１の室内機においてドレンパンの下から制御箱を移動させた状態の説明図である。
【図９】比較例としての室内機の断面を示す説明図である。
【図１０】本発明の実施の形態２に係る空気調和装置の室内機の断面を示す説明図である。
【図１１】本発明の実施の形態３に係る空気調和装置の室内機の断面を示す説明図である。
【図１２】図１１の室内機から制御箱を取り外した状態の説明図である。
【発明を実施するための形態】
【００１２】
以下、図面に基づいて本発明の実施の形態について説明する。各図において、同一の符号を付した機器等については、同一の又はこれに相当する機器を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の同種の機器等について、特に区別したり、特定したりする必要がない場合には、添字を省略して記載する場合がある。また、図面では各構成部材の大きさの関係が実際のものとは異なる場合がある。
【００１３】
実施の形態１．
図１は、本発明の実施の形態１に係る室内機１００の斜視図である。実施の形態１では、少なくとも一部を室内の天井に埋め込み設置される空気調和装置の室内機１００である。実施の形態１においては、２方向に吹出口１０５を有する２方向カセット型の室内機１００について説明する。ここで、実施の形態１における室内機１００は送風機１７０を搭載しているものとする。室内機１００は、冷媒配管により室外機と接続し、冷媒を循環して空気調和などを行う冷媒回路を構成する。
【００１４】
室内機１００は、空気循環などを行う機器を内蔵する筐体１２０を有している。筐体１２０は、天板１２５と側板１２４ａ〜１２４ｄとを有しており、室内に面する側、すなわち下方側が開口している。筐体１２０の側板１２４ａ〜１２４ｄは、平面視で四角形のドレンパン１４０の四方の側面１４４ａ〜１４４ｄを囲むように設けられている。筐体１２０の天板１２５は、側板１２４ａ〜１２４ｄの上端側から取り付けられている。そして、筐体１２０の開口部分には、化粧パネル（図示せず）が取り付けられる。化粧パネルは、空調などの対象空間となる室内側に面している。化粧パネルの中央付近には、室内機１００内への空気（気体）の吸い込み口となるグリル（図示せず）を有している。グリル通過後の空気はフィルタ（図示せず）により除塵する。
【００１５】
筐体１２０内の構成について説明する。図１に示すように、室内機１００の空気流入側において、送風機１７０の上流側には、ベルマウス１６０が設置されている。ベルマウス１６０は、グリルから流入した空気を整流して送風機１７０に送る。
【００１６】
図２は、図１の室内機１００の内部構成を説明する斜視図である。図３は、図１の室内機１００の断面を示す説明図である。図２は、室内機１００を上側から見たものであり、筐体１２０の側板１２４ａ〜１２４ｄ及び天板１２５を外した状態の図である。例えばフィンチューブ型の室内熱交換器１１０は、空気の流れにおいて送風機１７０の下流側に、送風機１７０を囲むように設置している。たとえば空気調和装置に、実施の形態１の室内機１００を適用する際、室内熱交換器１１０は、冷房運転時には蒸発器として機能し、暖房運転時には凝縮器として機能する。
【００１７】
ドレンパン１４０は、室内熱交換器１１０の下方に配置されており、室内熱交換器１１０に沿って溝１４１が設けられている。溝１４１は、室内熱交換器１１０の下側の端部に沿って設けられており、室内熱交換器１１０から発生したドレン水を捕集する。ドレンパン１４０は、例えば合成樹脂を材料として用いて成形される。ドレンパン１４０には、室内機１００の下面中央部となる位置に、周囲にベルマウス１６０が取り付けられ、グリルから流入した空気が通過する空気吸込口１０４が形成される。また、室内熱交換器１１０から流出した空気を通過させて吹出口１０５となる貫通穴が形成される。ベルマウス１６０から吹出口１０５が連通し、室内機１００内の風路を形成している。
【００１８】
筐体１２０の下面の開口部には、制御箱１５０が配置されている。制御箱１５０は、ドレンパン１４０の下方に配置されており、室内機１００の下面中央部に下側に向けて開口された空気吸込口１０４及び空気吸込口１０４の周囲に取り付けられているベルマウス１６０を避けて設置されている。また、制御箱１５０は、側板１２４ａに隣接して配置されている。図３に示されるように、実施の形態１の室内機１００の筐体１２０は、室内の天井１０９より上側に設置されている。そのため、室内機１００の内部の点検及び修理などのメンテナンス作業をする際に、作業者が天井１０９の近くまで近づき、上方向を向いて作業するが、制御箱１５０が筐体１２０の下側に配置されているため、制御箱１５０は室内機１００の下方から内部のメンテナンス作業が容易にできるという利点がある。
【００１９】
図４は、図１の室内機１００の内部に設置されたドレンパン１４０の上側から見た斜視図である。図５は、図４のドレンパン１４０の下側から見た斜視図である。ドレンパン１４０は、中央部に開口１４２が形成されている。この開口１４２にベルマウス１６０が取り付けられ空気吸込口１０４が形成される。ドレンパン１４０の上面側の開口１４２の周囲には溝１４１が形成されている。溝１４１は、室内熱交換器１１０の下側の端部を下側から覆うように形成されており、断面がＵ字形状になっている。
【００２０】
また、実施の形態１においては、室内熱交換器１１０は、空気吸込口１０４及び送風機１７０の周りをＵ字に囲むように設けられている。よって、ドレンパン１４０の溝１４１も平面視でＵ字形状に配置されている。溝１４１の両端は、集水部１４３に接続されている。集水部１４３は、溝１４１よりも深く形成されている。つまり集水部１４３は、底面が溝１４１の底面よりも下方にある。なお、溝１４１の底面は、集水部１４３から最も遠い位置から集水部１４３に向かって傾斜して形成されており、溝１４１に落ちた水は集水部１４３へ向かって流れるようになっている。
【００２１】
集水部１４３は、室内機１００の内部において、筐体１２０の側板１２４ａ側に配置されており、側板１２４ａに沿って配置されている。集水部１４３が配置されているドレンパン１４０の側面１４４ａには、排出口１４５が設けられている。集水部１４３に溜まった水は、排出口１４５から筐体１２０の外部に排出される。また、集水部１４３にはドレンアップメカ１３０が設置されており、集水部１４３に溜まった水を上に吸い上げ、排出口１４６から室内機１００の外部に排出する。
【００２２】
また、実施の形態１において、ドレンパン１４０を上側から見ると集水部１４３の中央部は底面から突出している。図５に示されるように、ドレンパン１４０の下面側から見ると、集水部１４３の中央部は上側へ凹んでおり、制御箱１５０はその凹部１４８に納められる。
【００２３】
また、実施の形態１においては、図１に示すように、ドレンパン１４０の側面１４４のうち集水部１４３が設置されている側の側面１４４ａに隣接する２つの対向する側面１４４ｂ及び側面１４４ｄに沿って吹出口１０５が設けられている。吹出口１０５は、ドレンパン１４０を上下に貫通している。
【００２４】
図６は、実施の形態１に係る室内機１００の筐体１２０の側板１２４ａの説明図である。図６においては、側板１２４ａと外部から配線を引き込む部分とを示し、他は省略している。側板１２４ａには、冷媒配管の接続部１１１、ドレン水の排出口１４５、及びドレンアップメカ１３０によるドレン水の排出口１４６を通す開口部が設けられている。また、側板１２４ａには外部からの配線を筐体内部に引き込む部分である配線貫通部材１８０が設けられている。配線貫通部材１８０は、側板１２４ａの下端部に設けられた切り欠き部１２６に着脱自在に嵌め込まれている。側板１２４ａには、切り欠き部１２６の上方に、配線貫通部材１８０の上端の角部が挿入される固定溝１２８が設けられている。固定溝１２８は、側板１２４ａの外側から内側に向けて凹み部分を形成し、下側から配線貫通部材１８０の上端角部が挿入できるように凹み部分に穴が設けられている。固定溝１２８により、配線貫通部材１８０は、側板１２４ａの内側面に沿って着脱自在に固定される。また、側板１２４ａの下端部は、筐体の外側に向けて曲げられてフランジ形状が形成されている。配線貫通部材１８０も下端部にフランジ形状が形成されており、側板１２４ａのフランジ形状と配線貫通部材１８０のフランジ形状とが上下に重ねられてネジ止めされる。なお、側板１２４ａと配線貫通部材１８０との固定はネジ止めだけに限定されず、例えば、側板１２４ａに設けられた溝に係止される等の手段でも良い。
【００２５】
配線１０７は、外部から室内機１００に電源を供給する電源ラインである。配線１０６は、例えばリモコンなどと接続され、室内機１００に外部からの信号が送られる通信線である。配線１０６及び配線１０７は、配線貫通部材１８０に設けられた孔を貫通し、室内機１００の内部に引き込まれる。配線貫通部材１８０には、例えばゴムにより形成されたブッシュ１８１が嵌め込まれている。ブッシュ１８１の中央部は凹み、肉厚も薄く成形されており、その薄肉部に十字の切り込みが設けられ、配線１０６又は１０７が貫通できるようになっている。また、ブッシュ１８１に設けられた十字の切り込みは、配線１０６又は配線１０７の外周面に追従するため、配線１０６又は配線１０７を通しても隙間が生じにくく、外部からの塵埃や虫などの侵入を抑制することができる。また、ブッシュ１８１に設けられた十字の切り込みにより、配線１０６及び配線１０７が通しやすく構成されている。また、ブッシュ１８１が配線貫通部材１８０に設けられていることにより筐体１２０の内部への空気の流入又は筐体１２０から外部への空気の流出を抑制する効果がある。なお、ブッシュ１８１に設けられた切り込みは十字形状に限られず、縦方向又は横方向のみのスリットでも良い。
【００２６】
配線１０６、１０７は、例えば室内機１００が設置される室内の天井１０９の裏に設けられている配線管から出ており、室内機１００内に引き込まれるものである。配線管から室内機１００までの距離は、室内機１００が設置される環境により異なる。
【００２７】
図３等に示されているように、制御箱１５０は、配線貫通部材１８０に隣接して配置されている。制御箱１５０は、配線１０６及び配線１０７を制御箱１５０の内部に引き込む部分である配線導入部１５１と、送風機１７０等の制御をするための制御基板１５３が納められた制御基板収納部１５２とを備える。配線導入部１５１は、筐体１２０の側板１２４ａの切り欠き部１２６に嵌め込まれた配線貫通部材１８０に対し、筐体１２０内部側に位置する。そして、配線導入部１５１は、配線１０６、１０７が通過する配線貫通部材１８０の穴とほぼ同じ高さに位置する。言い換えると、配線導入部１５１は、配線貫通部材１８０に隣接して位置している。配線導入部１５１の上方には、ドレンパン１４０の集水部１４３が配置されている。配線導入部１５１の筐体１２０中央部側には制御基板収納部１５２が設けられている。配線導入部１５１及び制御基板収納部１５２は、制御箱１５０の下面を構成する下面板１５４の上部に並んで設けられており、制御箱１５０の上方に配置されているドレンパン１４０の形状に沿って制御箱１５０が配置されるような形に形成されている。制御基板収納部１５２は、集水部１４３の側方に位置する。図３における集水部１４３の側方の領域は、集水部１４３の底面よりも上方に凹んでおり、図５に示されている凹部１４８が形成されている。制御基板収納部１５２は、凹部１４８に納められている。
【００２８】
制御箱１５０の下面は、筐体１２０の下面よりも突出しないように配置されている。配線１０６及び配線１０７は、制御箱１５０の下面板１５４に沿って制御基板収納部１５２へと引き込まれる。つまり、配線１０６及び配線１０７は、制御箱１５０の下面板１５４と集水部１４３との間を通り、制御基板収納部１５２へと引き込まれている。配線１０６及び配線１０７は、制御基板収納部１５２の内部にある端子台に固定されている。
【００２９】
制御基板１５３は、制御基板収納部１５２の上面板１５５に沿って配置され、電気回路を構成する各部品が実装されている部品実装面１５３ａを下側にして配置されている。このように構成されることにより、制御基板１５３のメンテナンスをする場合に制御箱１５０を筐体１２０から取り外す必要がない。メンテナンス作業者は、制御箱１５０の下面板１５４を外すだけで、配線導入部１５１と制御基板収納部１５２とを視認することができ、かつ、制御基板１５３の部品実装面１５３ａも視認することができるからである。また、制御基板１５３は、制御箱１５０の上面板１５５に沿って配置されているため、熱を上面板１５５に伝達しやすくなっている。さらに、上面板１５５から筐体１２０の構造部品又は筐体１２０内部にある部品に熱を逃がすことも可能である。なお、実施の形態１においては、図３に示すように、制御基板１５３は１つであるが、複数の基板に分けて構成されていても良い。
【００３０】
図７は、図１の室内機１００から制御箱１５０を取り外した状態の説明図である。図７は、制御箱１５０の周辺を拡大した図になっている。実施の形態１において、制御箱１５０は、側板１２４ａのフランジ形状の部分とドレンパン１４０の下面に固定されている。側板１２４ａの切り欠き部１２６の両脇に穴１２９が開口されている。制御箱１５０の下面板１５４の側板１２４ａ側の端部には、固定片１５４ａが突出している。固定片１５４ａは、穴１２９に挿入され、固定片１５４ａが側板１２４ａのフランジ形状の上面に載るように構成されている。また、下面板１５４の端面のうち、配線１０６及び１０７が引き出される方向に平行な２辺にもそれぞれ固定片１５４ｂが突出して設けられている。固定片１５４ｂは、ドレンパン１４０の下面にビスにより固定されている。制御箱１５０を室内機１００から取り外すときには、固定片１５４ｂを固定するビスを取り外し、固定片１５４ａを穴１２９から引き出す。つまり、制御箱１５０は、制御箱１５０を筐体１２０の中央方向にずらして筐体１２０から取り外される。
【００３１】
図２及び図３に示されているように、配線導入部１５１は側板１２４ａに隣接して配置されている。よって、配線１０６及び配線１０７の長さに余裕が無い場合は、制御箱１５０を固定している固定片１５４ａ、１５４ｂは外れるが、配線貫通部材１８０の穴の付近にある側板１２４ａの下端の構造に固定片１５４ａが当たり、ドレンパン１４０の下から制御箱１５０を移動させることが困難になる。そこで、実施の形態１においては、配線貫通部材１８０が側板１２４ａから外すことにより、側板１２４ａに配線１０６及び配線１０７が拘束されないようにする。これにより、配線１０６、１０７は側板１２４ａの下端から下方向に移動することができ、制御箱１５０は側板１２４ａ下端の構造に当たることが無く、制御箱１５０の可動範囲が広がり、ドレンパン１４０の下から制御箱１５０を移動させることができる。
【００３２】
図８Ａ及び図８Ｂは、図１の室内機１００においてドレンパン１４０の下から制御箱１５０を移動させた状態の説明図である。図８Ａにおいて、制御箱１５０は、配線導入部１５１よりも制御基板収納部１５２の方が下面板１５４からの高さが高くなっており、制御基板１５３も上面板１５５側に配置されているため、重心Ｇが上面板１５５側にある。よって、配線１０６、１０７により制御箱１５０を吊り下げたときに、制御箱１５０の重心Ｇは、配線１０６、１０７を支持する支点、図８Ａにおいては天井１０９の端部の真下に来る。すなわち、重心Ｇは、天井１０９の端部を通る垂線Ｖ上に位置することになる。これにより、図８Ａのように制御箱１５０と配線貫通部材１８０とを筐体１２０から取り外して配線１０６、１０７により吊り下げた状態にすると、筐体１２０の下面と制御箱１５０の上面板１５５とが成す角度は、９０°よりも大きくなる。このように構成されることにより、例えば、室内機１００からドレンパン１４０を取り外す作業をする場合に、制御箱１５０がドレンパン１４０の真下から外れた位置に吊り下げた状態にすることができるため、ドレンパン１４０を外す作業を阻害することがない。
【００３３】
また、図８Ｂに示されるように、制御箱１５０を筐体１２０から取り外した後に、天井１０９の上に載せることも可能である。このように構成されることにより、さらに制御箱１５０を作業の障害にならない位置に移動することができ、室内機１００の修理、点検をする際の作業を容易にすることが可能となる。また、図８Ｂに示される制御箱１５０は、吊り下げるよりも安定的に置いておくことができるため、作業時の安全性はより高く、配線にも負担がかからない。
【００３４】
また、制御箱１５０は、上述したように配線導入部１５１が低く制御基板収納部１５２が高い構成になっているため、ドレンパン１４０の下部に突出している集水部１４３を避けつつ、側板１２４ａに配線導入部１５１を隣接させて配置することができる。つまり、ドレンパン１４０に溜まった水を排出しやすい側板１２４ａに沿った位置に集水部１４３を配置するとともに、制御基板１５３を集水部１４３の側方に配置することができる。この構成によると、制御基板１５３と集水部１４３とを筐体１２０の上下方向において同じ高さにならべて配置できるため、筐体１２０の上下方向の寸法を小さく構成できる。
【００３５】
（実施の形態１の効果）
（１）実施の形態１の空気調和装置の室内機１００によれば、室内の天井面に埋め込まれて設置される空気調和装置の室内機１００において、筐体１２０と、筐体１２０の内部に設置される室内熱交換器１１０と、室内熱交換器１１０の下部に設置されるドレンパン１４０と、外部から筐体１２０の内部に引き込まれている配線１０６、１０７と、筐体１２０の内部で配線１０６、１０７が接続され、ドレンパン１４０の下方に設置される制御箱１５０と、を備える。筐体１２０は、側板１２４ａの端部に形成された切り欠き部１２６と、切り欠き部１２６に着脱自在に嵌め込まれ、配線１０６、１０７が貫通する配線貫通部材１８０と、を備える。制御箱１５０は、配線貫通部材１８０に隣接して配置されている。
このように構成されることにより、制御箱１５０は、修理及び点検等のメンテナンス作業がしやすい位置に配置される。また、制御箱１５０より上に配置されている部品のメンテナンス作業をする際にも制御箱１５０を筐体１２０から外し、ドレンパン１４０の下から移動させることができる。このときに、制御箱１５０から配線１０６、１０７を外さなくても、制御箱１５０は配線１０６、１０７により可動範囲を制限されることがない。従って、メンテナンス作業時に制御箱１５０から配線１０６、１０７を外す作業が必要無いため、作業者は第一種電気工事士の資格が無くともメンテナンス作業を実施できる。
【００３６】
（２）また、実施の形態１の空気調和装置の室内機１００によれば、制御箱１５０は、  部品実装面１５３ａに電気部品を備える制御基板１５３を有し、制御基板１５３は、制御箱１５０の内部に部品実装面１５３ａを下に向けて設置されている。
このように構成されることにより、制御基板１５３のみを対象としてメンテナンス作業をする場合には、制御箱１５０の下面板１５４のみを外して作業をすることができるため、作業が容易になるという利点がある。
【００３７】
（３）また、実施の形態１の空気調和装置の室内機１００によれば、ドレンパン１４０は、下方向に突出している集水部１４３を有し、集水部１４３は、切り欠き部１２６を有する側板１２４ａに沿って配置される。制御箱１５０は、集水部１４３を避ける逃げ形状を有する。制御基板１５３は、集水部１４３の側方であって、筐体１２０の上下方向において集水部１４３と同じ高さに並んで配置されている。
このように構成されることにより、制御基板１５３と集水部１４３とを筐体１２０の上下方向において同じ高さにならべて配置できるため、筐体１２０の上下方向の寸法を小さく構成できる。
【００３８】
（４）また、実施の形態１の空気調和装置の室内機１００によれば、ドレンパン１４０は、下方向に突出している集水部１４３を有する。集水部１４３は、切り欠き部１２６を有する側板１２４ａに沿って配置される。制御箱１５０は、配線１０６、１０７が制御箱１５０の下面を構成する下面板１５４に沿って配置されている配線導入部１５１と、制御基板１５３を納める制御基板収納部１５２と、を備える。配線導入部１５１は、制御箱１５０の下面からの高さが制御基板収納部１５２よりも低く、集水部１４３の下方に配置される。制御基板収納部１５２は、集水部１４３の側方に配置されている。
このように構成されることにより、上記（３）と同じ効果を得られる。
【００３９】
（５）実施の形態１の空気調和装置の室内機１００によれば、制御箱１５０は、重心Ｇが上面側にある。
このように構成されることにより、例えば、室内機１００からドレンパン１４０を取り外す作業をする場合に、制御箱１５０がドレンパン１４０の真下から外れた位置に吊り下げた状態にすることができるため、ドレンパン１４０を外す作業を阻害することがない。
【００４０】
実施の形態２．
本発明の実施の形態２に係る空気調和装置の室内機２００は、実施の形態１に係る空気調和装置の室内機１００に対し、筐体１２０の内部の機内配線１０８を制御箱１５０から外さずに、制御箱１５０を筐体１２０から取り外せるように変更したものである。実施の形態２に係る室内機２００においては、実施の形態１に対する変更点を中心に説明する。実施の形態２に係る室内機２００の各部については、各図面において同一の機能を有するものは実施の形態１の説明で使用した図面と同一の符号を付して表示するものとする。
【００４１】
図９は、比較例としての室内機２００ａの断面を示す説明図である。図９は、室内機２００ａの断面を模式的に表したものであり、一部内部の構造を省略しているが、省略している部分は、実施の形態１の室内機１００と同じ構造になっている。室内機２００ａは、機内配線１０８が筐体１２０の中心付近にある。よって、制御箱１５０を筐体１２０から外す場合には、制御箱１５０に接続された機内配線１０８を外す必要がある。なお、機内配線１０８は、制御箱１５０の内部の制御基板１５３と筐体１２０内に設置された、送風機１７０やドレンアップメカ１３０と接続するものである。
【００４２】
図１０は、本発明の実施の形態２に係る空気調和装置の室内機２００の断面を示す説明図である。図１０も、図９と同様に室内機２００の断面を模式的に表したものであり、一部内部の構造を省略しているが、省略している部分は、実施の形態１の室内機１００と同じ構造になっている。室内機２００は、機内配線１０８が制御箱１５０の配線導入部１５１を経て引き出され、ドレンパン１４０の集水部１４３と側板１２４ａとの間の隙間２９０からドレンパン１４０の上部に導入される。隙間２９０は、ドレンパン１４０と側板１２４ａとの間に設けられた隙間であるが、ドレンパン１４０の端面の一部に凹みを設ける等の手段により形成しても良い。隙間２９０は、配線貫通部材１８０に隣接しているため、実施の形態１と同様に制御箱１５０を筐体１２０から外しても、機内配線１０８が制御箱１５０の可動範囲を制限することがない。ただし、機内配線１０８は、長さに余裕を持っていることが必要である。具体的には、制御箱１５０が側板１２４ａと接触しない位置まで移動できる程度の余長が必要である。
【００４３】
（実施の形態２の効果）
（６）実施の形態２の空気調和装置の室内機２００によれば、機内配線１０８を更に備える。機内配線１０８は、集水部１４３と側板１２４ａとの間の隙間２９０を通り、筐体１２０の内部においてドレンパン１４０の上方に配置されている送風機１７０及びドレンアップメカ１３０等と制御箱１５０とを接続する。なお、送風機１７０及びドレンアップメカ１３０等は、本発明の電気部品に相当するものである。
このように構成されることにより、室内機２００は、機内配線１０８を制御箱１５０から取り外すことなく、制御箱１５０をドレンパン１４０の下から移動させることができる。これにより、作業者は、機内配線１０８を外す作業をすることなく制御箱１５０を除けて、筐体１２０内部のメンテナンス作業をすることができる。
【００４４】
実施の形態３．
本発明の実施の形態３に係る空気調和装置の室内機３００は、実施の形態１に係る空気調和装置の室内機１００に対し、制御箱１５０と配線貫通部材１８０とを一体化させたものである。実施の形態３に係る室内機３００においては、実施の形態１に対する変更点を中心に説明する。実施の形態３に係る室内機３００の各部については、各図面において同一の機能を有するものは実施の形態１の説明で使用した図面と同一の符号を付して表示するものとする。
【００４５】
図１１は、本発明の実施の形態３に係る空気調和装置の室内機３００の断面を示す説明図である。図１２は、図１１の室内機３００から制御箱３５０を取り外した状態の説明図である。図１１及び図１２は、室内機３００の断面を模式的に表したものであり、一部内部の構造を省略しているが、省略している部分は、実施の形態１の室内機１００と同じ構造になっている。室内機３００の制御箱３５０は、実施の形態１の制御箱１５０と配線貫通部材１８０とを一体化したものである。よって、制御箱３５０を筐体１２０から取り外すと、配線貫通部材３８０も一緒に外れることになる。配線１０６、１０７は、室内機３００を設置したときに制御箱３５０を室内機３００に取り付ける前に予め配線貫通部材３８０に通しておき、それから室内機３００に取り付ける。
【００４６】
なお、機内配線１０８については、実施の形態２の室内機２００と同様にドレンパン１４０の集水部１４３と側板１２４ａの間を通して配線しても良い。室内機２００ａのように筐体１２０の中央部側に配線を通しても良いが、この場合は制御箱１５０を取り外す際に機内配線１０８を制御箱１５０から取り外す必要がある。
【００４７】
（実施の形態３の効果）
（７）実施の形態３の空気調和装置の室内機３００によれば、配線貫通部材３８０は、制御箱３５０と一体に形成されている。
このように構成されることにより、室内機３００は構成する部品が少なくなり、またネジ等による締結箇所を少なくすることができるため、制御箱３５０の取り外し作業が簡易化される。また、制御箱３５０の取り付けの際も、取り付ける部品点数が少なく作業が簡易化される。
【符号の説明】
【００４８】
１００  室内機、１０４  空気吸込口、１０５  吹出口、１０６  配線、１０７  配線、１０８  機内配線、１０９  天井、１１０  室内熱交換器、１１１  接続部、１２０  筐体、１２４ａ  側板、１２４ｂ  側板、１２４ｃ  側板、１２４ｄ  側板、１２５  天板、１２６  切り欠き部、１２８  固定溝、１２９  穴、１３０  ドレンアップメカ、１４０  ドレンパン、１４１  溝、１４２  開口、１４３  集水部、１４４ａ  側面、１４４ｂ  側面、１４４ｃ  側面、１４４ｄ  側面、１４５  排出口、１４６  排出口、１４８  凹部、１５０  制御箱、１５１  配線導入部、１５２  制御基板収納部、１５３  制御基板、１５３ａ  部品実装面、１５４  下面板、１５４ａ  固定片、１５４ｂ  固定片、１５５  上面板、１６０  ベルマウス、１７０  送風機、１８０  配線貫通部材、１８１  ブッシュ、２００  室内機、２００ａ  室内機、２９０  隙間、３００  室内機、３５０  制御箱、３８０  配線貫通部材、Ｇ  重心、Ｖ  垂線。
【図１】
2017208348.tif 000003
【図２】
2017208348.tif 000004
【図３】
2017208348.tif 000005
【図４】
2017208348.tif 000006
【図５】
2017208348.tif 000007
【図６】
2017208348.tif 000008
【図７】
2017208348.tif 000009
【図８Ａ】
2017208348.tif 000010
【図８Ｂ】
2017208348.tif 000011
【図９】
2017208348.tif 000012
【図１０】
2017208348.tif 000013
【図１１】
2017208348.tif 000014
【図１２】
2017208348.tif 000015
【国際調査報告】
2017208348.tif 000016
2017208348.tif 000017
2017208348.tif 000018
2017208348.tif 000019